(57)【要約】【課題】射出装置の支持シャフトを部分的にノズルタッチ用のボールねじ軸とすることで電動ノズルタッチ装置の簡素化と成形機への適用性とを図る。【解決手段】電動モータ２２を駆動源とする射出駆動部を前後一対のプレート９，１０間に備え、その前プレート９の前面中央にスクリュ内装の加熱筒１１を連結した射出装置１を、左右一対の支持シャフト２に前後プレート９，１０を進退自在に挿通して設ける。支持シャフト２の後プレート１０が移動する部位を、ノズルタッチストロークＳよりも長いボールねじ軸２４となす。後プレート１０のねじ軸挿通部に回転部材２６を連結したボールナット部材２５を回転自在に取付けてボールねじ軸２４と螺合する。ボールナット部材２５を回転して射出装置１を進退移動するノズルタッチ用の電動モータ２７を、後プレート１０の側部に設ける。【選択図】　　図１
2004122405.tif 000002
【特許請求の範囲】
【請求項１】
電動モータを駆動源とする射出駆動部を前後一対のプレート間に備え、その前プレートの前面中央にスクリュ内装の加熱筒を連結した射出装置を、左右一対の支持シャフトに前後プレートを進退自在に挿通して設け、その支持シャフトの後プレートが移動する部位を、ノズルタッチストロークよりも長いボールねじ軸となす一方、後プレートのねじ軸挿通部に、歯車又はプーリー等の回転部材を連結したボールナット部材を回転自在に取付けてボールねじ軸と螺合し、そのボールナット部材を回転して射出装置を進退移動するノズルタッチ用の電動モータを、後プレートの側部に設けてなること特徴とする電動ノズルタッチ装置。
【請求項２】
上記支持シャフトを、ボールねじ軸と反対側の端部を基端部として、機台上の支持体の左右に縦向きに設けた電動型締装置の型締ボールねじ軸の上端に立設し、上記射出装置と共に機台上方に縦に設けてなることを特徴とする請求項１記載の電動ノズルタッチ装置。
【請求項３】
上記支持シャフトを、ボールねじ軸と反対側の端部を基端部として、機台上部に昇降自在に設けた可動盤の上面に立設し、上記射出装置と共に可動盤上に縦に設けてなることを特徴とする請求項１記載の電動ノズルタッチ装置。
【請求項４】
上記支持シャフトを、ボールねじ軸と反対側の端部を基端部として、機台上の左右に横向きに設けた電動型締装置の型締ボールねじ軸の後端に連設し、両ボールねじ軸の端部を機台上の固定板により支持して、上記射出装置と共に機台上に横に設けてなることを特徴とする請求項１記載の電動ノズルタッチ装置。
【請求項５】
上記電動型締装置は、左右一対のハウジングと、各ハウジング内にそれぞれ回転自在に縦に設けたプーリー付きの型締ボールナット部材と、型締ボールナット部材とそれぞれ螺合して各ハウジングに貫挿し、一端を可動盤に連結した左右一対の型締ボールねじ軸と、両プーリーに巻回した型締駆動ベルトを介して型締ボールナット部材を回転し、型締ボールねじ軸を進退移動する型締電動モータとからなることを特徴とする請求項２又は４記載の電動ノズルタッチ装置。
【発明の詳細な説明】
【０００１】
【発明の属する技術分野】
この発明は、左右一対の支持シャフトに進退自在に設けられた射出装置の電動ノズルタッチ装置に関するものである。
【０００２】
【従来の技術】
複数本の支柱に射出装置を挿通支持し、その支柱により射出装置を可動盤上に下向きに立設した油圧式竪型成形機では、上部のジョイント板と射出装置とにわたって、シリンダとピストンロッドとによる油圧ノズルタッチ装置を支持シャフトと並行に設けている（例えば、特許文献２参照）。
また一対の支持シャフトに射出装置を挿通支持し、その支持シャフトにより射出装置を支持して、可動盤上に下向きに立設した電動式竪型成形機では、可動盤と射出装置の下部プレートとにわたって、ボールねじ軸とボールナット部材とによる電動ノズルタッチ装置を支持シャフトと並行に設けている（例えば、特許文献１参照）。
【０００３】
【特許文献１】
特許第３０９０８８４号公報（第２頁、第２図）。
【特許文献２】
実公昭６２−３２８１３号公報（第２頁、第１図、第５図）。
【０００４】
【発明が解決しようとする課題】
上記従来技術では、ノズルタッチ装置の駆動源が、電動モータと油圧シリンダと異なるが、その何れも射出装置を下向きに支持する支柱や支持シャフトにノズルタッチ装置を並設している。ピストンが直線運動する油圧シリンダを駆動源とする装置では、シリンダとピストンとを支柱に並設してジョイント板と射出装置とにわたり連結するだけで済むが、左右に一対のシリンダとピストンを設け、これを同時作動しなければならないという課題を有する。
【０００５】
また電動モータを駆動源とするものでは、可動盤と射出装置の下部プレートとにわたって設けた左右一対のボールねじ軸を、駆動ベルトによって単一の電動モータにより同時作動できるが、ボールねじ軸とその回転を直線運動に変換するボールナット部材及び電動モータとを要することから、油圧シリンダの場合のようにジョイント板と射出装置とにわたり簡単に配設することができず、その配設位置も可動盤と射出装置の下部プレートとの間に制限されがちであった。また可動盤にボールねじ軸の逃げ孔を穿設する必要があるなど、その設置に手数がかかるものであった。
【０００６】
したがって、この発明の目的は、電動モータを駆動源とするノズルタッチ装置を、射出装置の支持シャフトを部分的にボールねじ軸として構成することによつて簡素化でき、また支持シャフトにより可動盤或いは電動型締装置に立設又は連設して、竪型成形機や横型成形機に利用できる新たな電動ノズルタッチ装置を提供することにある。
【０００７】
【課題を解決するための手段】
上記目的によるこの発明は、電動モータを駆動源とする射出駆動部を前後一対のプレート間に備え、その前プレートの前面中央にスクリュ内装の加熱筒を連結した射出装置を、左右一対の支持シャフトに前後プレートを進退自在に挿通して設け、その支持シャフトの後プレートが移動する部位を、ノズルタッチストロークよりも長いボールねじ軸となす一方、後プレートのねじ軸挿通部に、歯車又はプーリー等の回転部材を連結したボールナット部材を回転自在に取付けてボールねじ軸と螺合し、そのボールナット部材を回転して射出装置を進退移動するノズルタッチ用の電動モータを、後プレートの側部に設けてなるというものである。
【０００８】
またこの発明は、上記支持シャフトを、ボールねじ軸と反対側の端部を基端部として、機台上の支持体の左右に縦向きに設けた電動型締装置の型締ボールねじ軸の上端に立設し、上記射出装置と共に電動ノズルタッチ装置を機台上方に縦に設けてなる、というものである。
【０００９】
またこの発明は、上記支持シャフトを、ボールねじ軸と反対側の端部を基端部として、機台上部に昇降自在に設けた可動盤の上面に立設し、上記射出装置と共に電動ノズルタッチ装置を可動盤上に縦に設けてなる、というものである。
【００１０】
またこの発明は、上記支持シャフトを、ボールねじ軸と反対側の端部を基端部として、機台上の左右に横向きに設けた電動型締装置の型締ボールねじ軸の後端に連設し、両ボールねじ軸の端部を機台上の固定板により支持して、上記射出装置と共に電動ノズルタッチ装置を機台上に横に設けてなるというものである。
【００１１】
また上記電動型締装置は、左右一対のハウジングと、各ハウジング内にそれぞれ回転自在に縦に設けたプーリー付きの型締ボールナット部材と、型締ボールナット部材とそれぞれ螺合して各ハウジングに貫挿し、一端を可動盤に連結した左右一対の型締ボールねじ軸と、両プーリーに巻回した型締駆動ベルトを介して型締ボールナット部材を回転し、型締ボールねじ軸を進退移動する型締電動モータとからなる、というものである。
【００１２】
【発明の実施の形態】
図１〜図４は、電動竪型成形機のノズルタッチ装置を示すもので、図中１は射出装置、２は射出装置１を進退自在に挿通支持する左右一対の支持シャフト、３は機台４の上に立設した支持体５の左右に縦に設けた電動型締装置で、下端を機台上部の可動盤６に連結した型締ボールねじ軸７を有し、その型締ボールねじ軸７の両方の上端に支持シャフト２が上方に長く立設してある。
【００１３】
上記射出装置１は、前後一対のプレート９，１０の間に設けた射出駆動部と、前プレート９の前面中央に基端部を連結した射出スクリュ内装の加熱筒１１とからなり、その前後プレート９，１０の両端を両支持シャフト２に挿通して、ノズル側を下向きに機台上方に縦に設けられている。
【００１４】
上記射出駆動部は、前プレート９の上面に対設した一対のガイドロッド１２に進退自在に挿通して、射出スクリュ１３の端部を下面に回転自在に連結した射出プレート１４と、ガイドロッド１２の上端にわたり固着して前プレート９に連結した保持部材１５と、その保持部材１５の中央に軸部を回転自在に貫通支持した射出ボールねじ軸１６と、その射出ボールねじ軸１６と螺合した射出プレート上のボールナット部材１７と、保持部材１５の両側に止着して両端を上記支持シャフト２に挿通したガイド部材１８と、後プレート１０とに取付けた一対の連結杆１９とからなり、その連結杆１９と上記ガイドロッド１２とにより、保持部材１５と後プレート１０が上記前プレート９と一体化されて、支持シャフト２を共に移動するようにしてある。
【００１５】
また保持部材１５から突出したねじ軸端と射出スクリュ１３の端部とには、プーリー２０，２１が取付けてあり、保持部材１５の側部と前プレート９の側部とに取付けた電動サーボモータなどによる射出用の電動モーター２２、計量用の電動モータ２３の回転を、駆動ベルト２２ａ（計量側は図示せず）介して射出ボールねじ軸１５と射出スクリュ１３とに、それぞれ伝達できるようにしてある（図２及び図３参照）。
【００１６】
上記支持シャフト２の後プレート１０が移動する部位は、ノズルタッチストロークＳよりも長いボールねじ軸２４に形成され、そのボールねじ軸２４に通常構造のボールナット部材２５が、後プレート１０のねじ軸挿通部に回転自在に取付けて螺合してある。このボールナット部材２５の上部には、歯車又はプーリー等の回転部材２６が一体に連結してある。
【００１７】
この回転部材２６により、後プレート側部に取付けたノズルタッチ用の電動モータ２７の回転が、チェーン又は駆動ベルトなどの伝動部材２７ａを介してボールナット部材２５に伝達され、そのボールナット部材２５が支持シャフト２の一部をなす固定状態のボールねじ軸２４を回転移動して、射出装置１を上下方向に進退移動する。なお電動モータ２７は電動サーボモータ、ブレーキ付きギヤモータの何れをも採用することができる。
【００１８】
上記電動型締装置３は、円盤状のハウジング３１と、各ハウジング内に回転自在に縦に設けたプーリー３２付きの型締ボールナット部材３３と、その型締ボールナット部材３３と螺合してハウジング３１に貫挿した上記型締ボールねじ軸７と、プーリー３２に巻回した型締駆動ベルト３４ａを介して型締ボールナット部材３３を回転し、型締ボールねじ軸７を進退移動する型締電動モータ３４とからなる。
【００１９】
このような電動型締装置３は、ハウジング３１を上記支持体５の正面板５１の左右に突設したアーム５２に、それぞれ縦向きに取り付けて機台上部の左右に設けられ、また型締電動モータ３４は正面板５１の背面に上向きに取り付けられて、その型締電動モータ３４のプーリー３２と、両型締ボールナット部材３３のプーリー３２とにわたり巻回した型締駆動ベルト３４ａにより、型締電動モータ３４の回転が両型締ボールナット部材３３に伝達され、その型締ボールナット部材３３の回転が各型締ボールねじ軸７の直線運動に変換されて、型締ボールねじ軸７が下端に連結した上記可動盤６と共に上下動し、これにより機台上面の固定型４ａと、中央に挿通穴８を穿設した上記可動盤６の下面の可動型６ａの型開閉及び型締が行えるようにしてある。可動盤６は垂直に上下動するように、正面板５１に縦設したリニアガイドレール５３に嵌合保持してある。
【００２０】
上記構成では、ノズルタッチ装置を構成するボールねじ軸２４とボールナット部材２５の螺合により、射出装置１がノズルを下側にして、型締ボールねじ軸７と一体の支持シャフト２に支持されていることから、型締ボールねじ軸７と共に射出装置１及び可動盤６、ノズルタッチ装置の全てが一緒に上下動する。
【００２１】
またノズルタッチ装置は、電動モータ２７によるボールナット部材２５の回転により、型締ボールねじ軸７による上下動とは別個に、ボールねじ軸２４を上下に移動する。これにより射出装置１のノズルタッチストロークＳの移動が可能となるので、型締ボールねじ軸７により支持シャフト２と共に可動型６ａを降下して型閉じを行ったのち、電動モータ２７によりノズルタッチ装置を作動して射出装置１のノズルタッチを連続して行うことができる。場合によっては、電動型締装置３の作動とノズルタッチ装置の作動とを並行して行うこともできる。
【００２２】
図５は、上記支持シャフト２を、ボールねじ軸２４と反対側の端部を基端部として、機台４の上部に昇降自在に設けた可動盤６１の上面に立設し、上記射出装置１と共に可動盤６１に縦に設けた他の実施形態を示すもので、上記実施形態と同一の部分は同一符号を付して説明は省略する。
【００２３】
この実施形態の可動盤６１は、四隅を機台４に内装したトグル式型締装置（図は省略）の牽引ロッド６２に連結して機台上部により昇降自在に支持され、その牽引ロッド６２の上下動により、可動盤下面の可動型６１ａと、機台上に載置した型置盤６３の上面の固定型６３ａとの型開閉及び型締を行っている。このような型締装置においても、上記ノズルタッチ装置は型開に並行作動して、または型閉後に作動されて、上記実施形態の場合と同様に射出装置１のノズルタッチを行うことができる。
【００２４】
図６に示す実施形態は、図１〜図４に示す竪型成形機を、そのまま横型成形機として構成した場合であって、上記支持シャフト２は、ボールねじ軸２４と反対側の端部を基端部として、機台６４の上の左右に横向きに設けた上記電動型締装置３の上記型締ボールねじ軸７の後端に連設され、両ボールねじ軸２４の端部を機台上の固定板６５により支持固定して、上記射出装置１と共に上記ノズルタッチ装置を機台上に横に設けた場合を例示するものである。したがって、上記実施形態と同一の部分は同一符号を付して説明は省略する。
【００２５】
この実施形態では、上記可動盤６を機台上に横設したリニアガイドレール６４に移動自在に設置し、その可動盤６に型締ボールねじ軸７の前端を連結して、可動盤側の可動型６ａと、可動盤６の対向位置に立設した機台上の固定盤６５の固定型６７ａとの型開閉と型締とを、電動型締装置３により行えるようにしてあるそのような横型成形機においても、上記ノズルタッチ装置は型開に並行作動して、または型閉後に作動されて、上記実施形態の場合と同様に射出装置１のノズルタッチを行うことができる。
【００２６】
上述のようにこの発明のノズルタッチ装置は、支持シャフトの一部をノズルタッチ装置のボールねじ軸とすることから、射出装置を進退移動する部材を支持シャフトの両側に並設する必要がなく、またボールねじ軸と螺合するボールナット部材を射出装置の後プレートに取付けて、その側部に電動モータを配設するだけで済み、ボールナット側の移動により、可動盤にボールナット部材を取付けた場合に不可欠な逃げ孔の穿設が不要となるなど構造が簡素化され、支持シャフトの設置方向によって、そのまま射出装置と共に縦或いは横に設けることができるので、竪型成形機を始め横型成形機にも採用することができる。
【図面の簡単な説明】
【図１】この発明の電動ノズルタッチ装置を備えた竪型成形機のノズルタッチ前（Ａ）とノズルタッチ後（Ｂ）の正面図である。
【図２】同上のノズルタッチ前の支持体を縦断した側面図である。
【図３】射出装置の平面図である。
【図４】図２のＡ−Ａ線断面図である。
【図５】この発明の電動ノズルタッチ装置を備えた他の実施形態のノズルタッチ前の正面図である。
【図６】この発明の電動ノズルタッチ装置を備えた横型成形機のノズルタッチ前の機台を縦断した正面図である。
【符号の説明】
１　　　射出装置
２　　　支持シャフト
３　　　電動型締装置
４　　　機台
５　　　支持体
６　　　可動盤
７　　　型締ボールねじ軸
９　　　前プレート
１０　　　後プレート
１２　　　ガイドロッド
１４　　　射出プレート
１５　　　保持部材
１６　　　射出ボールねじ軸
１７　　　射出ボールナット部材
１８　　　ガイド部材
１９　　　連結杆
２２　　　型締電動モータ
２４　　　ノズルタッチ用のボールねじ軸
２５　　　ノズルタッチ用のボールナット部材
２６　　　回転部材
２７　　　ノズルタッチ用の電動モータ
２７ａ　　駆動ベルト
３１　　　ハウジング
３２　　　プーリー
３３　　　型締ボールナット部材
３４　　　型締電動モータ
６１　　　可動盤
６５，６７　固定盤
【図１】
2004122405.tif 000003
【図２】
2004122405.tif 000004
【図３】
2004122405.tif 000005
【図４】
2004122405.tif 000006
【図５】
2004122405.tif 000007
【図６】
2004122405.tif 000008